(57)【要約】      （修正有）【課題】体力の衰えた老人や身体の不自由な人でも調理台の位置を調節して無理なく自由に料理を作ることが可能な移動式流し台を提供する。【解決手段】移動用キャスタ４付きリフト台１に備えた昇降機構７の上にキッチンボックス２が固定され、該キッチンボックス２の上部には、前後方向のスライド移動手段を介して、シンク５及び調理盤６を備えた調理台３が出没可能に設置されるとともに該キッチンボックス３と調理台３のスライドと出没可能範囲を制限するストッパが設けられ、調理台６の側方上部のシンク５外側近傍に、注ぎ口２７を前記シンク５の上方に配した水道コック８が装着され、水道コック８の下部にはフレキシブルな水道管２９が接続され、キッチンボックス２の上面板２ｂに、水道コック８の直下部の水道管２９と、排水口９の直下部の排水管３２とが接触しないように切欠部３６ａ、３６ｂが設けられる。【選択図】図３
0003149869.tif 000002
【実用新案登録請求の範囲】
【請求項１】
移動用キャスタ付きリフト台に備えた昇降機構の上にキッチンボックスが固定され、
該キッチンボックスの上部には、前後方向のスライド移動手段を介して、シンク及び調理盤を備えた調理台が出没可能に設置されるとともに該キッチンボックスと調理台のスライドと出没可能範囲を制限するストッパが設けられ、
前記調理台の側方上部の前記シンク外側近傍に、注ぎ口を前記シンクの上方に配した水道コックが装着され、
前記水道コックの下部にはフレキシブルな水道管が接続され、前記シンクの底に備わる排水口にはフレキシブルな排水管が接続され、
前記キッチンボックスの上面板に、前記調理台がスライド移動する際に前記水道コックの直下部の水道管と前記排水口の直下部の排水管とが接触しないように板面を切り欠いて形成した切欠部が設けられ、
前記調理台を昇降可能とするとともに該調理台部分を前後に出没可能としたことを特徴とする移動式流し台。
【請求項２】
リフト台に備わる昇降機能がモータ駆動による電動式としたことを特徴とする請求項１に記載の移動式流し台。
【請求項３】
キッチンボックスと調理台とのスライド移動手段が前後方向のスライドレールでガイドされて移動可能とするスライド移動装置であることを特徴とする請求項１又は２に記載の移動式流し台。
【請求項４】
調理台をキッチンボックス上の適宜位置で係止可能とする係止手段を設けたことを特徴とする請求項１〜３のうちいずれか一項に記載の移動式流し台。
【請求項５】
キッチンボックスの上面板に設けた切欠部の下方空間に、水道管収納室及び排水管収納室を設け、前記水道管及び排水管の弛み部分を収納可能としたことを特徴とする請求項１〜４のうちいずれか一項に記載の移動式流し台。
【考案の詳細な説明】
【技術分野】
【０００１】
本考案は移動式の流し台に関する。
【背景技術】
【０００２】
近年の老齢人口の急速な増加にともない体力や運動能力が衰えた人でも料理を作ることが容易となる流し台を希望する人が増加しているが、従来の固定式の流し台では充分には対応しきれない。
例えば、下記特許文献１に記載の移動式の流し台が提案されており、この提案によって、流し台の向きや室内での流し台の位置を使いやすいように変えることが可能とはなったがしかし、単に流し台の設置位置を移動させるだけなので体力の衰えた老人にとっては使い易くなるものではなかった。
また、下記特許文献２には記載の昇降式流し台装置が提案されており、この提案によって、調理台の高さを調節可能としたことで腰の曲がった老人などへの高さの対応は可能となるが、しかし、椅子に腰を掛けたり、車椅子に乗ったりした状態で料理を作ろうとしても手が調理台の手前側部分にまでしか届かないので調理台の全面で自由に調理を行うことはできなかった。
【先行技術文献】
【特許文献】
【０００３】
【特許文献１】特開２００５−１４３５２１号公報
【特許文献２】特開平１０−２６２７５３号公報
【考案の概要】
【考案が解決しようとする課題】
【０００４】
そこで、本考案は、体力の衰えた老人や身体の不自由な人が、椅子などに腰を掛けた状態であっても、調理台全面を使って体勢に無理なく料理を作ることが可能で、しかも室内の好きな位置に自由に移動させることか可能となる移動式の流し台を提供することを目的とする。
【課題を解決するための手段】
【０００５】
上記課題を解決するため、本考案の移動式流し台は、移動用キャスタ付きリフト台に備えた昇降機構の上にキッチンボックスが固定され、該キッチンボックスの上部には、前後方向のスライド移動手段を介して、シンク及び調理盤を備えた調理台が出没可能に設置されるとともに該キッチンボックスと調理台のスライドと出没可能範囲を制限するストッパが設けられる。
また、前記調理台の側方上部の前記シンク外側近傍に、注ぎ口を前記シンクの上方に配した水道コックが装着され、前記水道コックの下部にはフレキシブルな水道管が接続され、前記シンクの底に備わる排水口にはフレキシブルな排水管が接続され、前記キッチンボックスの上面板に、前記調理台がスライド移動する際に前記水道コックの直下部の水道管と前記排水口の直下部の排水管とが接触しないように板面を切り欠いて形成した切欠部が設けられて成る。
そして前記調理台を昇降可能とするとともに該調理台部分を前後に出没可能としたことを特徴とする。
【０００６】
請求項２に記載の考案は、上記各考案において、前記リフト台に備わる昇降機能がモータ駆動による電動式としたことを特徴とする。
【０００７】
請求項３に記載の考案は、上記各考案において、キッチンボックスと調理台とのスライド移動手段が前後方向のスライドレールでガイドされて移動可能とするスライド移動装置であることを特徴とする。
【０００８】
請求項４に記載の考案は、上記各考案において、調理台をキッチンボックス上の適宜位置で係止可能とする係止手段を設けたことを特徴とする。
【０００９】
請求項５に記載の考案は、上記各考案において、前記キッチンボックスの上面板に設けた切欠部の下方空間に、水道管収納室及び排水管収納室を設け、前記水道管及び排水管の弛み部分を収納可能としたことを特徴とする。
【考案の効果】
【００１０】
本考案の移動式流し台は、水道管及び排水管以外は全て床から切り離され、底部には移動用キャスタが装着されているので、使用する位置を室内の希望する位置に自由に移動できるようになる。その移動の際に、フレキシブルな水道管及び配水管を自由に変形して遠くに伸ばしたり、弛んだ部分は足元の邪魔にならないように移動式流し台内に収納可能となる。
【００１１】
また、昇降機構で調理台の高さを自由に調節することができるので、腰の曲がった老人など身長の高低にかかわらず料理する人はその人の最適位置で料理することが可能となる。
さらに、スライド移動手段によってキッチンボックス上の調理台が前後に出没させることが可能となり、椅子や車椅子に載ったまま足を調理台の下方に入れて、手前に引き出された調理台上で自由に料理を作ることが可能となる。その際に、調理台は競り出し位置でストッパによって確実に停止されるので安全である。
このように本考案によって体力の衰えた老人や身体の不自由な人でも自己に最適な調理台の高さや位置や引き出し位置になるように調節して誰でも無理なく自由に料理を作ることが可能となった。
【図面の簡単な説明】
【００１２】
【図１】本考案の（イ）が調理台を引き出す前の状態を、（ロ）調理台を引き出した状態を示す各斜視図である。
【図２】本考案の縦断正面図である。
【図３】調理台を上昇させた状態を示す縦断正面図である。
【図４】調理台をスライドさせた状態を示す縦断側面図である。
【図５】調理台を図３とは逆方向にスライドさせた状態を示す縦断側面図である。
【図６】調理台をスライドさせるための構造を示す要部の縦断側面図である。
【考案を実施するための形態】
【００１３】
本考案の移動式流し台を実施するための形態を以下説明する。
本考案は、図１の（イ）及び図２に示すように、底部に移動用のキャスタ４は装着されたリフト台１に上に昇降機構７が装着され、その昇降機構７の載置板２３の上に、キッチンボックス２の下面板２ａが固定されており、前記キッチンボックス２が前記昇降機構７によって昇降される。
本考案の前記昇降機構７は各種の構造のもの（自動車のジャッキの構造等）を使用することが可能である。
【００１４】
本考案の図２の形態では、前記リフト台１の底板１ａの上面と、前記キッチンボックス２の下面板２ａに固定されている前記載置板２３の下面とに、それぞれ凹状溝面を向かい合わせたガイド溝部材２１、２２が側向きに上下平行に、且つ、前寄り部位と後ろ寄り部位に前後平行に設けられる。
そして、図２及び図４に示すように、中央部を枢支して開閉可能としたＸ字状とした２本の棒状部材１１、１２の端部が上下の前記ガイド溝部材２１、２２の凹状溝内に入って前後一対装着され、棒状部材１１、１２の上下各端部のうち左右いずれかの一方側（図では左側）の各端部に設けた枢支部が前記ガイド溝部材２１、２２に設けた枢支部１９、２０に上下方向に開閉可能に枢支される。
棒状部材１１、１２の他方側（図２では右側）の各端部１１ａ、１２ａは、固定されていないので前記ガイド溝部材２１、２２の凹状溝内を先端が左右方向に滑ってスライドする。
【００１５】
そして、前記棒状部材１１の他方側（図２では右側）の上側の前後各端部１１ａ、１１ａは、昇降作動軸１７の両端が接続され、昇降作動軸１７が左右方向に移動すると、図３に示すように、前記前後の棒状部材１１が同時に左右に移動し中央部枢支１３を中心にＸ字状に交差角度が開閉し、前記リフト台１の底板１ａと前記載置板２３の下面との間が大きく開いたり狭まったりして、前記載置板２３の上に載っている前記キッチンボックス２が昇降する。
【００１６】
前記昇降作動軸１７の左右方向への移動をさせる手段としては、手動式も可能であるが、図２の実施例では、昇降作動軸１７に直行させた伸縮作動軸１５の伸縮を減速機１６を介してリフト台１の底板１ａに設けたモータ１０の回転駆動軸１４を回転させて行えるように電動式とする。
なお図２中の符号２４は前記モータ１０の電源コード２４であり、符号２５は前記モータ１０のオンオフをする昇降スイッチ２５であり、符号２６は電源プラグ２６である。
この際、伸縮作動軸１５の伸縮に伴って、前記昇降作動軸１７の傾斜角度も変化するので、モータ１０はリフト台１の底板１ａの上面に一端部を開閉可能に固定した上下開閉可能な傾斜モータ台１８に対して固定される。
【００１７】
また本考案では、図２に示すように、前記調理台６側とは反対側の前記シンク５の側方３ｄ寄りに、注ぎ口２７を前記シンク５の上方に配して水道コック８が前記調理台６上に装着される。
前記水道コック８には一端を床下に配管した水道管に水道用床孔５５を通して接続部したフレキシブルな水道管２９が接続される。このフレキシブルな水道管２９は、本考案の移動式流し台をキャスタ４で室内床面Ｆ上を移動させるときに室内床面Ｆ内を前記フレキシブルな水道管２９を繋げたままで一定範囲移動できるように長いものが用いられる。また、この水道管２９は、前記キッチンボックス２の上面板２ｂに、前記水道コック８下の水道管２９の部分を囲うように前後方向に移動許容幅に長い切欠部３６ａが形成され、前記水道コック８下の水道管２９部分の前後移動が阻害されない。
【００１８】
さらに、前記シンク５の底５aに備えた排水口９には一端を床下に配管した排水管に排水用床孔５６を通して接続部したフレキシブルな排水管３２が接続される。このフレキシブルな排水管３２は、上記水道管と同様に本考案の移動式流し台をキャスタ４で室内床面Ｆ上を移動させるときに室内床面Ｆ内を前記フレキシブルな排水管３２を繋げたままで一定範囲移動できるように長いものが用いられる。また、この排水管３２は、前記キッチンボックス２の上面板２ｂに、前記排水口９下の排水管３２の部分を囲うように前後方向に移動許容幅に長い切欠部３６ｂが形成され、前記シンク５の排水口９下の排水管３２部分の前後移動が阻害されない。
図２では、前記排水口９下にはゴミ受け３０が設けられ、さらにその下に悪臭止めループ部３１が設けられた例を示している。なお図１中の符号３３はゴミ止め網３３である。
【００１９】
このように前記フレキシブルな水道管２９とフレキシブルな排水管３２の周囲は、図２及び図３に示すように、前記調理台３、キッチンボックス２、及びリフト台１の中を通過するようになっているが、前記フレキシブルな水道管２９については、前記調理台３では仕切り板３８と、側面板３ｄと、水道管通し孔３９を設けた下面板３ａと、前記水道コック８が固定された上面板３ｂとに囲われる。また、前記キッチンボックス２では側面板２ｄと、仕切り板３５と、切欠部３６ａ形成した上面板２ｂとで囲われ、下は開放されている。さらに、リフト台１では下中間と側面の仕切り板１ｃで区切られ、上方と側方は開放されている。
そして、前記キッチンボックス２及びリフト台１のフレキシブルな水道管２９の周囲には弛んでいる水道管部分を収納可能とした水道管収納室Ｓ１が形成される。
【００２０】
また前記フレキシブルな排水管３２の周囲については、図２及び図３に示すように、前記調理台３の排水口９下に、前記キッチンボックス２の上面板２ｂに形成した切欠部３６ｂにゴミ受け３０が突出し、その下を仕切り板３４、３５で仕切り、下は開放される。また、リフト台１では側面板１ｂで区切られ、その上方と側方は前記水道管用の仕切り板１ｃ具郡以外の部分は開放される。
そして、前記キッチンボックス２及びリフト台１のフレキシブルな排水管３２の周囲には弛んでいる部分を収納可能とした水道管収納室Ｓ２が形成される。
【００２１】
このため、本考案の移動式流し台をキャスタ４で室内床面Ｆ上を移動させるときには、前記フレキシブルな水道管２９と前記排水管３２とが伸縮して、機能を損なうことなく前後左右の方向に自由に移動式流し台を移動させることが可能となり、また、前記リフト台１上のキッチンボックス２が昇降するときにも、前記フレキシブルな水道管２９と前記排水管３２とが伸縮して、機能を損なうことなく前記キッチンボックス２及びその上の調理台３を上下に昇降させることが可能となる。
【００２２】
また本考案では、図１の（イ）に示すように、調理台３の上面３ｂには水を使用するためのシンク５及び食材を包丁で刻むなどの手作業をするための調理盤６とが並べて設けられる。
この状態では、前記調理台３での作業は立ち作業するには良いが椅子での腰掛作業をしようとすると、折り曲げた脚がキッチンボックス２に当たって、手が手前までしか届かなくなる。このため腰を大きく曲げて上体を前に突き出さないとシンク５及び調理盤６の全面を使用しての作業ができない。
そこで、本考案では、前記調理台３を前記キッチンボックス２の上部に前後方向のスライド移動手段を介して前後方向に出没可能となるように設置し、図１の（ロ）に示すように、椅子での腰掛作業をしようとするときには前記調理台３を手前に引き出して使用可能とする。
【００２３】
前記調理台３の前後のスライド移動手段は、手動式や電動式による各種の構造が可能であるが、図の例で説明すると、図２、図４及び図６に示すように、前記調理台３の仕切り板３８には前後方向のスライドレール４２を水平に固定され、そのスライドレール４２に嵌るように装着したローラー４３を、前記キッチンボックス２の上部に設けた排水管３２用の切欠部３６ｂを通して仕切り板３５に固定したローラー支持板４４に枢支される。
【００２４】
そして、図２及び図４に示すように、前記キッチンボックス３の調理盤６下の側面板２ｃと前記調理台３の側面板３ｃとにおいて前記キッチンボックス３の上面板２ｂには切欠部４１を設けるとともに前記調理台３の下面板３ａには切欠部４０を設けて、前記調理台３の側面板３ｃには前後方向の水平にスライドレール４５を固定し、また前記キッチンボックス３の調理盤６下の側面板２ｃ側には該側面板２ｃにローラー支持板４７を固定して前記スライドレール４５に装着されるローラー４３を枢支される。そして、この２つのスライドレール４３、４５及びローラー４２、４６に載った前記調理台３が前記キッチンボックス３上で前後方向水平に安定してスライド可能となる。
また、シンク５に溜まる水でローラー４２、４６で受ける前記調理台３の荷重が大きくなるので、その荷重負担を軽減させるため、図６に示すように、前記滑車支持板４４の上に滑車４８を載せてそのローラー４８ａを枢支して設け、そのローラー４８ａを上から押えるローラー受け板４９を前記調理台３の仕切り板３８に設ける。
【００２５】
この前後方向のスライド移動手段では、前記調理台３を前後方向水平にスライドできるが、そのままであると、前記キッチンボックス２の上部から滑り落ちてしまうおそれがある。
このため図４及び図５に示すように、前記調理台３が前記キッチンボックス２の上部に留まるようにストッパが設けられる。
例えばストッパは、前記キッチンボックス３の上面板３ｂと調理台３の下面板３aとの間に前記調理台３の前後の突出位置において停止可能とするように、前記キッチンボックス３の上面板３ｂには中央受けストッパ６１が突設され、調理台３の下面板３aには前記中央受けストッパ６１の前後方向の部位に間隔を開けて前ストッパ６２と後ストッパ６３が設けられる。
この前ストッパ６２及び後ストッパ６３の固定位置は、前記調理台３が前又は後に突出したときにいずれも約２０ｃｍ程度競り出して、前記中央受けストッパ６１に当たって停止できる位置とする。
図４では後ストッパ６３による停止位置近くの位置に停止した状態を示し、図５では前ストッパ６２による停止位置近くの位置に停止した状態を示している。
このストッパにより前記調理台３が前記キッチンボックス２の上部から滑り落ちてしまうおそれはなくなる。
【００２６】
さらに本考案では、前記調理台３が前記キッチンボックス２の中央、及び前後の使いやすい位置に係止されるように係止手段が設けられる。
この係止手段は、前記キッチンボックス２の上面板３ｂには前係止突起５８と後係止突起５７を設け、これに対向させて、調理台３の下面板３aには前係止穴６０、と前後係止穴５９が設けられる。そして、この前係止突起５７、５８と前係止穴５９、６０とは、バネで附勢された前係止突起５７、５８が前係止穴５９、６０の穴周囲に当たって一端押し下げられて穴の凹みに入るとバネで上に突き出され、そのバネの力で簡単に調理台３は移動しないように一定の抵抗をもって係止される。
このため、図４及び図５に示すように、前係止穴５９、６０は前ストッパ６２及び後ストッパ６３よりも内側、即ちストッパで停止する直前又はストッパに当たったって停止した状態の位置に設けられる。
こうすると、調理中に調理台３が軽く押されて没してしまうことが防止できるようになる。
なお、図示はしないが、上記前係止突起と前係止穴中央の組み合わせと同様な中央係止突起と中央係止穴と中央にもう１つ設けると調理台３を前後に突出しない状態で係止できるので好ましい。また、図４及び図５に示すように、前後両方側に出没可能であるが、例えば後ストッパの位置を中央に寄せて設ければ、後方向には突出しないようにすることも可能である。
【００２７】
また、前記調理台３の前後のスライドに伴って、前記水道管２９及び前記排水管３２を繋げたままで調理台３を移動可能とするために、前記調理台３の排水口９下に設けた前記キッチンボックス２の上面板２ｂの切欠部３６ｂは前後に前記調理台３の移動距離よりも長く形成して前記シンク５の排水口９下の排水管３２部分が前後に移動するのが阻害されないようにし、さらに水道管２９を通す前記キッチンボックス２の上面板２ｂの切欠部３６ａも前後に前記調理台３の移動距離よりも長く形成して水道管２９部分が前後に移動するのが阻害されなようにする。この結果、前記キッチンボックス２と前記調理台３とは両切欠部３６ａ、３６ｂの中での水道管２９と排水管３２の許容範囲で前後移動が可能となる。
なお、図では各切欠部３６ａ、３６ｂが別個に分かれて設けられている態様を示しているが、両切欠部３６ａ、３６ｂは繋がっていてもよい。
【００２８】
また、図２では水道用床孔５５と排水用床孔５６を通して接続部した態様が示されているが、これとは別に前記水道管２９と前記配水管３２の先端には着脱具を設けるとともに、室内の床下に配管して室内の数箇所に水道管と排水管の接続口を床上に臨ませて設け、その床側の水道管と排水管の接続口には移動式流し台側の水道管２９と配水管３２の着脱具に対して着脱可能な着脱具を設けることも可能である。
こうすれば、移動式流し台の水道管２９や排水管３２を室内のどこでも接続部させることができ、本考案の移動式流し台を大きく移動させることが可能となる。
【００２９】
さらに、前記調理台３の調理盤６下には空間があるので、図１及び図２に示すように、ここに引き出し５０を設けることも可能である。この引き出し５０は、側板５０ｂと底板５０ａとで箱状に形成され、前記調理台３の仕切り板３７及び側面板３ｃに、引き出し５０の側板に対応部位にスライドレール５１、５３を一対設けて、そのスライドレール５１、５３に嵌るローラー５２、５４を配着する。そして、前記引き出し５０を軽い力で押し引き可能とする。
また、前記キッチンボックス２にも大きな空間があるので、図１及び図２に示すように、取手６７、６８付きの開閉扉６５、６６を設け、食器などを収める収納スペースとすることも可能となる。
【００３０】
本考案は、上記構成なので次ぎのような使用が可能となる。
（イ）室内を移動するとき
単に押したり引いたりしてキャスタで室内を前記フレキシブルな水道管２９とフレキシブルな排水管３２の伸び切る範囲で自由に移動させる。
（ロ）調理台の高さを変えるとき
昇降スイッチ２５を操作して前記昇降機構７のモータ１０の稼動で、調理台３の高さを料理する人が自分の使いやすい高さに自由に高くしたり低くしたりして調節する。
（ハ）調理台を引き出すとき
手で調理台３を押し引きして、調理台３の競り出し位置を係止手段で料理する人が自分の使いやすい位置に止める。
例えば椅子や車椅子に載ったままで料理するとき、足を調理台の下方に入れて、手前に引き出された調理台上で料理を作る。
（二）調理台の前後に人がいて料理するとき
親と子や介護者と非介護者など調理台の前後両側に別れて、相互に会話しながら調理台を両側から交互に押し引き移動させつつ料理を作る。
【００３１】
このように本考案は、室内を自由に移動させまた調理台３の高さも自由に調節しさらに調理台３を手前に引き出すなどして、運動機能の得衰えた老人や身体の不自由な人であっても自己の身体能力にとって最適となるように容易に調節することが可能となるので無理なく思う存分に料理を作ることが可能となる。
【産業上の利用可能性】
【００３２】
本考案の移動式流し台は一般の家庭用に限らず、レストランなどの業務用として利用することも可能である。
【符号の説明】
【００３３】
１    リフト台
１ａ  リフト台の底板
２    キッチンボックス
２ａ  キッチンボックスの底面板
２ｂ  キッチンボックスの上面板
３    調理台
３ａ  調理台の下面板
３ｂ  調理台の上面板
３ｃ  調理台の側面板
３ｄ  調理台の側面板
４    キャスタ
５    シンク
５ａ  シンクの底
６    調理盤
７    昇降機構
８    水道コック
９    排水口
１０    モータ
１１    棒状部材
１１ａ  棒状部材の他方側の端部
１２    棒状部材
１２ａ  棒状部材の他方側の端部
１４    回転駆動軸
１５    伸縮作動軸
１６    減速機
１７    昇降作動軸
１８    傾斜モータ台
１９    枢支部
２０    枢支部
２１    ガイド溝部材
２２    ガイド溝部材
２３    載置板
２４    電源コード
２５    昇降スイッチ
２６    電源プラグ
２７    注ぎ口
２８    コック開閉レバー
２９    水道管
３０    ゴミ受け
３１    悪臭止めループ部
３２    排水管
３３    ゴミ止め網
３４    仕切り板
３５    仕切り板
３６ａ  切欠部
３６ｂ  切欠部
３７    仕切り板
３８    仕切り板
３９    水道管通し孔
４０    切欠部
４１    切欠部
４２    スライドレール
４３    ローラー
４４    ローラー支持板
４５    スライドレール
４６    ローラー
４７    ローラー支持板
４８    滑車
４８ａ  ローラー
４９    ローラー受け板
５０    引き出し
５０ａ  引き出しの底板
５１    スライドレール
５２    ローラー
５３    スライドレール
５４    ローラー
５５    水道用床孔
５６    排水用床孔
５７    後係止突起
５８    前係止突起
５９    後係止穴
６０    前係止穴
６１    中央受けストッパ
６２    前ストッパ
６３    後ストッパ
６４    切欠部
６５    開閉扉
６６    開閉扉
６７    取手
６８    取手
Ｓ１    水道管収納室
Ｓ２    排水管収納室
Ｆ    室内床面
【図１】
0003149869.tif 000003
【図２】
0003149869.tif 000004
【図３】
0003149869.tif 000005
【図４】
0003149869.tif 000006
【図５】
0003149869.tif 000007
【図６】
0003149869.tif 000008